(57)【要約】【課題】循環風路の圧損を少なくして、循環風路内への洗剤泡の侵入を防止する。【解決手段】水槽３の背面部に設けた導入口１０から乾燥用空気を導入する循環風路１１と、導入口を開閉する風路シャッタ１８と、風路シャッタを駆動する駆動手段１９とを備え、風路シャッタ１８は、第１のシャッタ１８ａおよび第２のシャッタ１８ｂと、第１のシャッタおよび第２のシャッタを各々回動自在に支持する回動軸１８ｃ、１８ｄを有し、回動軸１８ｃ、１８ｄを中心に第１のシャッタ１８ａと第２のシャッタ１８ｂを水槽３側へ回動して導入口１０を開くようにしたものである。【選択図】図２
2013118879.tif 000002
【特許請求の範囲】
【請求項１】
筐体内に弾性支持した水槽と、前記水槽内に回転可能に設けたドラムと、前記ドラムを回転駆動するモータと、前記水槽の背面部に設けた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口を開閉する風路シャッタと、前記風路シャッタを駆動する駆動手段とを備え、前記風路シャッタは、第１のシャッタおよび第２のシャッタと、前記第１のシャッタおよび第２のシャッタを各々回動自在に支持する回動軸を有し、前記回動軸を中心に前記第１のシャッタと前記第２のシャッタを前記水槽側へ回動して前記導入口を開くようにした洗濯乾燥機。
【請求項２】
風路シャッタは、略長方形に形成した導入口の長辺部に回動軸を設け、第１のシャッタおよび第２のシャッタをドラムの半径方向に配設し、前記第１のシャッタを前記ドラムの回転中心側に設け、前記第２のシャッタを前記ドラムの外周側に設けた請求項１記載の洗濯乾燥機。
【請求項３】
風路シャッタは、第１のシャッタの回動軸から先端部までの長さを、第２のシャッタの回動軸から先端部までの長さより長くした請求項１または２記載の洗濯乾燥機。
【請求項４】
風路シャッタは、駆動手段により第１のシャッタまたは第２のシャッタのいずれか一方を駆動し、前記第１のシャッタと前記第２のシャッタのいずれか一方の動作に他方を連動させるリンク機構を設けた請求項１〜３のいずれか１項に記載の洗濯乾燥機。
【発明の詳細な説明】
【技術分野】
【０００１】
本発明は、衣類等の洗濯と乾燥がおこなえる洗濯乾燥機に関するものである。
【背景技術】
【０００２】
従来、この種の洗濯乾燥機は、洗濯、すすぎ、脱水の各工程に続いて、乾燥をおこなうことができる。洗濯〜乾燥の各工程は、水槽内に設けた共通のドラム内でおこなわれるため、洗濯工程時に発生する洗剤泡が、乾燥工程時にドラム内へ乾燥用空気を送風するために設けられている循環風路に流入しないように構成することが要求される。
【０００３】
洗濯時に投入される洗剤の種類や量の決定は、使用者に委ねられているため、洗剤泡が水槽内で大量に発生する状態を想定し、乾燥工程を実行するために設けられた構成要素、すなわち、内部に送風手段、除湿手段、加熱手段等が設けられている循環風路への流入を防止することが考えられている（例えば、特許文献１参照）。
【０００４】
図６は、特許文献１に記載された従来のドラム式洗濯乾燥機を示すものである。図６において、回転ドラムを内包した水槽５１の後面に開口する吸気口５２に循環風路５３を接続し、循環風路５３の吸気口５２近傍に循環風路５３を開閉する風路シャッタ５４を設けている。循環風路５３を流れる乾燥用空気は、循環風路５３に接続されたヒートポンプ装置５５により除湿および加熱されて水槽５１に循環し、洗濯物を乾燥させる。
【０００５】
風路シャッタ５４は、コイルバネからなる付勢手段５６によって循環風路５３を開くように付勢されており、洗濯工程時は、ギアドモータからなる駆動手段５７により、付勢手段５６による付勢力に抗して風路シャッタ５４を駆動し、循環風路５３を閉じることにより、水槽５１内で大量に洗剤泡が発生して吸気口５２から溢れ出した場合でも、循環風路５３内への侵入を防止する。
【０００６】
また、乾燥工程時は、駆動手段５７をオフにし、付勢手段５６により循環風路５３を開くように風路シャッタ５４を付勢し、乾燥用空気が流通するようにしたものである。
【先行技術文献】
【特許文献】
【０００７】
【特許文献１】特開２００７−１３５９５７号公報
【発明の概要】
【発明が解決しようとする課題】
【０００８】
しかしながら、前記従来の構成では、循環風路５３を開閉する風路シャッタ５４が循環風路５３内の途中に設けられているため、風路シャッタ５４が設けられている部分で風路断面積が小さくなる。そのため、循環風路５３を流れる乾燥用空気の圧損が大きくなり、乾燥効率が悪く乾燥運転時の消費電力量が増加するという課題があった。
【０００９】
本発明は、従来の課題を解決するもので、循環風路の圧損を少なくして、循環風路内への洗剤泡の侵入を防止することができる洗濯乾燥機を提供することを目的とする。
【課題を解決するための手段】
【００１０】
前記従来の課題を解決するために、本発明の洗濯乾燥機は、水槽内に回転可能に設けたドラムと、前記ドラムを回転駆動するモータと、前記水槽の背面部に設けた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口を開閉する風路シャッタと、前記風路シャッタを駆動する駆動手段とを備え、前記風路シャッタは、第１のシャッタおよび第２のシャッタと、前記第１のシャッタおよび第２のシャッタを各々回動自在に支持する回動軸を有し、前記回動軸を中心に前記第１のシャッタと前記第２のシャッタを前記水槽側へ回動して前記導入口を開くようにしたものである。
【００１１】
これによって、風路シャッタを循環風路の外に配設することができ、風路シャッタによって循環風路の断面積が部分的に狭められることがなく、循環風路の圧損を少なくして、循環風路内への洗剤泡の侵入を防止することができる。
【発明の効果】
【００１２】
本発明の洗濯乾燥機は、循環風路の圧損を少なくして乾燥効率を高めることができるとともに、循環風路内への洗剤泡の侵入を防止することができる。
【図面の簡単な説明】
【００１３】
【図１】本発明の実施の形態１における洗濯乾燥機の要部断面図
【図２】同洗濯乾燥機の図１のＡ−Ａ断面図
【図３】同洗濯乾燥機の要部斜視図
【図４】同洗濯乾燥機の風路シャッタ部の斜視図
【図５】（ａ）〜（ｃ）同洗濯乾燥機の風路シャッタの動作図
【図６】従来のドラム式洗濯乾燥機の要部背面斜視図
【発明を実施するための形態】
【００１４】
第１の発明は、筐体内に弾性支持した水槽と、前記水槽内に回転可能に設けたドラムと、前記ドラムを回転駆動するモータと、前記水槽の背面部に設けた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口を開閉する風路シャッタと、前記風路シャッタを駆動する駆動手段とを備え、前記風路シャッタは、第１のシャッタおよび第２のシャッタと、前記第１のシャッタおよび第２のシャッタを各々回動自在に支持する回動軸を有し、前記回動軸を中心に前記第１のシャッタと前記第２のシャッタを前記水槽側へ回動して前記導入口を開くようにしたことにより、風路シャッタを循環風路の外に配設することができ、風路シャッタによって循環風路の断面積が部分的に狭められることがなく、循環風路の圧損を少なくして乾燥効率を高めることができ、乾燥運転中の消費電力量を低減することができるとともに、循環風路内への洗剤泡の侵入を防止することができる。また、乾燥用空気の導入口を限られたスペースでコンパクトに開閉することができ、導入口を大きく形成することができる。
【００１５】
第２の発明は、特に、第１の発明の風路シャッタは、略長方形に形成した導入口の長辺部に回動軸を設け、第１のシャッタおよび第２のシャッタをドラムの半径方向に配設し、前記第１のシャッタを前記ドラムの回転中心側に設け、前記第２のシャッタを前記ドラムの外周側に設けたことにより、導入口の短辺側で第１のシャッタおよび第２のシャッタの回動軸からの長さを短く構成することができ、導入口を大きく形成してコンパクトに開閉することができる。
【００１６】
第３の発明は、特に、第１または第２の発明の風路シャッタは、第１のシャッタの回動軸から先端部までの長さを、第２のシャッタの回動軸から先端部までの長さより長くしたことにより、導入口をさらに大きく形成することができる。すなわち、第１のシャッタおよび第２のシャッタの開成時に、これらを収容する収容部は、水槽の背面部を前面側へ傾斜させて設けてあり、収容部のドラムの回転中心側は導入口からの距離を長くすることができ、これにより、第１のシャッタを収容部からドラム側に突出することなく第２のシャッタより長くすることができる。
【００１７】
第４の発明は、特に、第１〜第３のいずれか１つの発明の風路シャッタは、駆動手段により第１のシャッタまたは第２のシャッタのいずれか一方を駆動し、前記第１のシャッタと前記第２のシャッタのいずれか一方の動作に他方を連動させるリンク機構を設けたことにより、１つの駆動手段で簡略に構成することができるとともに、第１のシャッタおよび第２のシャッタを連動させて導入口を確実に開閉することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態の洗濯乾燥機の要部断面図、図２は、同洗濯乾燥機の図１のＡ−Ａ断面図、図３は、同水槽の背面部内側の斜視図、図４は、同風路シャッタ部の斜視図、図５は、同風路シャッタの動作図である。
【００２０】
図１〜図５において、洗濯乾燥機の外郭を形成する筐体１内にダンパ２等で弾性支持した水槽３が設けられている。水槽３内には有底円筒状のドラム４が回転可能に設けられ、その回転軸５は前後方向へ略水平に設けられている。ドラム４の内周側面には回転軸５方向に向かって内方へ突出させた複数のバッフル６と、水槽３内と連通する多数の透孔７が設けられ、前面側には洗濯物を出し入れする開口部８が設けられている。
【００２１】
水槽３の背面部は、周縁から回転中心に向かって前面側へ膨出するように傾斜させてあり、水槽３の外背面に略円錐状に窪んだ凹部３ａが形成されている。ドラム４の背面部も水槽３の背面部と同様に、周縁から回転中心に向かって前面側へ膨出するように傾斜している。水槽３の背面部にドラム４の回転軸５を回転可能に支持する軸受部５ａを設けている。
【００２２】
水槽３の背面部にドラム４を回転駆動するモータ９が取り付けられている。このモータ９はブラシレス直流モータで構成され、インバータ制御によって回転速度が自在に変化させることができるようになっており、少なくともその一部が凹部３ａに収容されるように設けられている。水槽３内に洗濯水を給水する給水手段としての給水弁（図示せず）によって水槽３内に洗濯水を供給し、水槽３内に供給された洗濯水は透孔７からドラム４内に流入する。
【００２３】
水槽３の背面部に乾燥用空気を導入する導入口１０が設けられ、この導入口１０に循環風路１１の一端を連通接続し、ドラム４内に乾燥用空気を導入する。水槽３およびドラム４内に導入された乾燥用空気は、水槽３の上方前部に設けた排気口１２から流出し、循環風路１１に流入する。
【００２４】
循環風路１１を通してドラム４内に乾燥用空気を送風する送風手段としての送風用ファン１３は、ファンモータ１４によって駆動され、送風用ファン１３によって循環風路１１に送風される乾燥用空気は、循環風路１１を通って水槽３およびドラム４内へ循環する。
【００２５】
循環風路１１内には、排気口１２から循環風路１１に流入した乾燥用空気に含まれるリントを除去し、循環風路１１に対して着脱自在に設けたリントフィルタ１５と、リントフィルタ１５を通過した乾燥用空気を冷却除湿する除湿手段１６と、この除湿手段１６で冷却除湿された乾燥用空気を加熱する加熱手段１７を設けている。
【００２６】
除湿手段１６および加熱手段１７は、ヒートポンプ装置等で構成することができる。この場合、除湿手段１６は蒸発器で構成され、加熱手段１７は凝縮器で構成される。
【００２７】
なお、除湿手段１６および加熱手段１７は、ヒートポンプ装置以外でも構成することができる。この場合、除湿手段１６は水冷または空冷の熱交換器で構成され、加熱手段１７はヒータ等で構成される。
【００２８】
送風用ファン１３によって送風される乾燥用空気は、除湿手段１６で冷却除湿され、加熱手段１７で加熱された後、導入口１０からドラム４内へ供給され、ドラム４内で洗濯物と接触し水分を奪って湿った空気は、透孔７から水槽３内へ出て排気口１２から循環風路１１に戻り、水槽３の上部で前方から後方へ流れて、図１中の矢印イ方向へ循環する。
【００２９】
水槽３の背面部に設けた導入口１０は、略長方形に形成し、長辺部１０ａと短辺部１０ｂを有している。導入口１０には、循環風路１１を開閉する風路シャッタ１８を設けている。風路シャッタ１８は、第１のシャッタ１８ａと第２のシャッタ１８ｂで構成されている。
【００３０】
第１のシャッタ１８ａと第２のシャッタ１８ｂは、各々導入口１０の長辺部１０ａに沿って設けられた回動軸１８ｃ、１８ｄで回動自在に支持され、第１のシャッタ１８ａおよび第２のシャッタ１８ｂをドラム４の半径方向に配設し、第１のシャッタ１８ａをドラム４の回転中心側に設け、第２のシャッタ１８ｂをドラム４の外周側に設けている。
【００３１】
風路シャッタ１８は、モータ等の駆動手段１９により回動軸１８ｃ、１８ｄを中心に第１のシャッタ１８ａと第２のシャッタ１８ｂを水槽３側へ回動し、導入口１０を循環風路１１の外側へ矢印ロ方向に開くように構成している。また、風路シャッタ１８は、第１のシャッタ１８ａの回動軸１８ｃから先端部までの長さを、第２のシャッタ１８ｂの回動軸１８ｄから先端部までの長さより長くしている。
【００３２】
第１のシャッタ１８ａと第２のシャッタ１８ｂの回動軸１８ｃ、１８ｄは、導入口１０の短辺部１０ｂの両端に位置し、導入口１０の閉塞時は、先端部分が重なり合うように構成している。
【００３３】
水槽３の背面部には、導入口１０に近接して収容部２０が設けられ、第１のシャッタ１８ａと第２のシャッタ１８ｂを回動軸１８ｃ、１８ｄを中心に水槽３側へ回動して導入口１０を開いたときに、収容部２０内に収容可能に構成している。また、風路シャッタ１８の第１のシャッタ１８ａは、ばね等の付勢手段２１によって導入口１０を閉じる方向に付勢されており、駆動手段１９は、付勢手段２１の付勢力に抗して導入口１０を開くように構成している。
【００３４】
導入口１０の周縁部には、乾燥用空気の流出側に突出したリブ１０ａが収容部２０内に設けてあり、風路シャッタ１８の閉塞面と当接する。導入口１０のリブ１０ａと当接する風路シャッタ１８の閉塞面は、ゴム等の弾性体１８ｂが設けてあり、付勢手段２１の付勢力で導入口１０を確実に閉じることができる。
【００３５】
風路シャッタ１８は、第１のシャッタ１８ａを回動自在に支持する回動軸１８ｃ上に設けた第１の歯車２２と、第１の歯車２２と噛み合う第２の歯車２３と、第２の歯車２３の回転軸２３ａ上に設けた第３の歯車２４と、第３の歯車２４と噛み合い、かつ、駆動手段１９と連結された第４の歯車２５と、第２の歯車２３の回転軸２３ａ上に設けた一方向の回転を規制するワンウェイクラッチ２６を有している。そして、第２の歯車２３の歯を一定角度のみに設け、第２の歯車２３の歯の一部を切欠いた切欠部２３ｂを設けている。
【００３６】
風路シャッタ１８は、駆動手段１９により第１のシャッタ１８ａを駆動し、第１のシャッタ１８ａの回動動作をリンク機構２７により第２のシャッタ１８ｂを連動させるようにしている。リンク機構２７は、一端を回動軸１８ｃに取り付けた第１のアーム２７ａと、一端を回動軸１８ｄに取り付けた第２のアーム２７ｂを連係させ、第１のアーム２７ａに設けたピン２７ｃに第２のアーム２７ｂに設けたスリット２７ｄを嵌合させて構成している。
【００３７】
制御手段２８は、筐体１内の前方下部に配設され、モータ９等を制御して、洗濯、すすぎ、脱水、乾燥の各工程を制御する。
【００３８】
以上のように構成された洗濯乾燥機において、以下その動作、作用を説明する。筐体１の前面側に開閉自在に設けた扉２９を開いて開口部８からドラム４内に洗濯物を投入した後、筐体１の上面前部に設けた操作部の電源スイッチ（図示せず）をオンし、スタートスイッチ（図示せず）を操作して運転を開始すると、投入された洗濯物の量が検知される。
【００３９】
洗濯は、洗い工程、すすぎ工程、脱水工程の順に実行される。洗い工程は、投入された洗濯物の量の判定に続いて開始され、検知した洗濯物の重量によってあらかじめ設定された水量が水槽３内へ導入され、所定量の洗剤を投入する。水槽３内に供給された洗濯水は透孔７からドラム４内に流入する。
【００４０】
洗濯が開始され、洗い工程に入ると、モータ９を駆動し、洗濯物がドラム４内に設けられたバッフル６によってドラム４の回転方向に沿って持ち上げられ、ドラム４内の上部から重力によって落下し、落下時の機械力が洗濯物に加えられる回転速度、例えば、３０〜５０ｒｐｍで正転と反転の動作を交互に繰り返す。これにより、洗濯物がドラム４内で叩き洗いされる。
【００４１】
洗い工程では、洗剤の溶け込んだ洗濯水が水槽３の底部に溜められた状態であるため、ドラム４の下部が洗濯水に浸かった状態である。したがって、ドラム４を回転させると、洗濯水を撹拌して泡を発生させる。
【００４２】
洗濯時は、駆動手段１９により第４の歯車２５を回転させ、第２の歯車２３の歯の一部を切欠いた切欠部２３ｂを第１の歯車２２に対向させて噛み合いを離脱させる。これにより、第２の歯車２３と第１の歯車２２との連係が解除され、第１のシャッタ１８ａは、付勢手段２１によって導入口１０を閉じる方向に付勢される。
【００４３】
第１のシャッタ１８ａと第２のシャッタ１８ｂは、リンク機構２７により連動し導入口１０を閉じる方向に付勢され、第１のシャッタ１８ａと第２のシャッタ１８ｂの先端部が重合し、循環風路１１に連通接続した導入口１０が、図５（ａ）に示すように閉じられるため、水槽３内で発生する洗剤泡や洗濯水が循環風路１１内へ侵入するのを防止することができる。
【００４４】
すなわち、ワンウェイクラッチ２６により、風路シャッタ１８が導入口１０を閉じる方向へ回動しないため、第２の歯車２３の歯を一定角度のみに設けることで、第２の歯車２３と噛み合わない角度まで第１の歯車２２が回転すると、付勢手段２１の付勢力により、第１のシャッタ１８ａと第２のシャッタ１８ｂを連動させて導入口１０を閉じることができる。
【００４５】
そのため、駆動手段１９であるモータの過熱を防止し、洗濯中の洗剤泡の異常発泡や、給排水異常による洗剤泡や水が、導入口１０から循環風路１１に流入するのを防止することができ、かつ、駆動手段１９であるモータの通電時間を少なくすることができるため、消費電力量も低減することができる。
【００４６】
洗い工程に続いて、すすぎ工程、脱水工程が実行された後、乾燥工程が実行される。乾燥工程では、駆動手段１９により回動軸１８ｃを中心に第１のシャッタ１８ａを水槽３側へ回動し、付勢手段２１の付勢力に抗して導入口１０を開く。第１のシャッタ１８ａと第２のシャッタ１８ｂを連動させて導入口１０を開いたとき、第１のシャッタ１８ａと第２のシャッタ１８ｂは収容部２０内で略平行に位置し、図５（ｃ）に示すように、導入口１０を大きく開放することができ、循環風路１１の外で風路シャッタ１８の開閉動作をおこなうことができる。
【００４７】
特に、風路シャッタ１８の開成位置を、導入口１０の周縁部に設けたリブ１０ｃより外側、すなわち、導入口１０から吹き出す乾燥用空気の流れから外れるようにすると、乾燥用空気のドラム４内への導入に抵抗が少なく円滑にすることができる。
【００４８】
乾燥工程中に、風路シャッタ１８の開放状態を維持する場合、駆動手段１９であるモータに通電をし続けるとモータが過熱されるため、第１の歯車２２が導入口１０を閉じる方向へ回転しないようにワンウェイクラッチ２６が取り付けられており、風路シャッタ１８を導入口１０が開かれた状態に維持して、駆動手段１９であるモータへの通電を切ることができる。
【００４９】
また、乾燥工程中は、風路シャッタ１８が導入口１０を開いた状態に保持されているので、送風用ファン１３から送風された乾燥用空気の風圧により、風路シャッタ１８が煽られて異音の発生を防止することができるとともに、導入口１０から乾燥用空気を安定して導入することができる。
【００５０】
以上のように、本実施の形態においては、筐体１内に弾性支持した水槽３と、水槽３内に回転可能に設けたドラム４と、ドラム４を回転駆動するモータ９と、水槽３の背面部に設けた導入口１０から乾燥用空気を導入する循環風路１１と、循環風路１１に送風する送風手段１３と、水槽３から出た乾燥用空気を除湿する除湿手段１６と、除湿手段１６で除湿した乾燥用空気を加熱する加熱手段１７と、導入口１０を開閉する風路シャッタ１８と、風路シャッタ１８を駆動する駆動手段１９とを備え、風路シャッタ１８は、第１のシャッタ１８ａおよび第２のシャッタ１８ｂと、第１のシャッタ１８ａおよび第２のシャッタ１８ｂを各々回動自在に支持する回動軸１８ｃ、１８ｄを有し、回動軸１８ｃ、１８ｄを中心に第１のシャッタ１８ａと第２のシャッタ１８ｂを水槽３側へ回動して導入口１０を開くようにしたものであり、風路シャッタ１８を循環風路１１の外に配設することができ、風路シャッタ１８によって循環風路１１の断面積が部分的に狭められることがなく、循環風路１１の圧損を少なくして乾燥効率を高めることができ、乾燥運転中の消費電力量を低減することができるとともに、循環風路１１内への洗剤泡の侵入を防止することができる。また、乾燥用空気の導入口１０を限られたスペースでコンパクトに開閉することができ、導入口１０を大きく形成することができ、乾燥用空気の導入をスムースにすることができる。
【００５１】
なお、風路シャッタ１８は、駆動手段１９により第１のシャッタ１８ａまたは第２のシャッタ１８ｂのいずれか一方を駆動し、リンク機構２７により、第１のシャッタ１８ａと第２のシャッタ１８ｂのいずれか一方の動作に、他方を連動させるようにしたものであればよい。
【産業上の利用可能性】
【００５２】
以上のように、本発明にかかる洗濯乾燥機は、循環風路の圧損を少なくして乾燥効率を高めることができるとともに、循環風路内への洗剤泡の侵入を防止することができるので、洗濯乾燥機として有用である。
【符号の説明】
【００５３】
１      筐体
３      水槽
４      ドラム
９      モータ
１０    導入口
１１    循環風路
１３    送風用ファン（送風手段）
１６    除湿手段
１７    加熱手段
１８    風路シャッタ
１８ａ  第１のシャッタ
１８ｂ  第２のシャッタ
１８ｃ  回動軸
１８ｄ  回動軸
１９    駆動手段
【図１】
2013118879.tif 000003
【図２】
2013118879.tif 000004
【図３】
2013118879.tif 000005
【図４】
2013118879.tif 000006
【図５】
2013118879.tif 000007
【図６】
2013118879.tif 000008